(57)【特許請求の範囲】
【請求項１】
エレベーター制御装置と、情報表示装置をかご出入り口の片方の天井に近い位置に有する乗りかごとを備え、前記乗りかごの制御及び前記情報表示装置の表示制御を前記エレベーター制御装置により行うエレベーター装置において、
前記エレベーター制御装置は、乗りかごの移動速度を検知する速度センサと、乗りかご内の重量を検知する重量センサとが接続された統括制御手段を含んで構成され、
前記統括制御手段は、
前記情報表示装置に、乗りかごの移動方向、現在階、次回停止階、及び日時の情報を少なくとも一つ表示すると共に、前記乗りかごの移動方向とは逆方向に移動するように表示制御された背景模様を表示し、
さらに、前記統括制御手段は、前記重量センサにより検知された前記乗りかご内の重量を判定し、判定結果に基づいて前記背景模様の表示数を決定することを特徴とするエレベーター装置。
【請求項２】
前記背景模様の移動は、前記乗りかごの移動速度に対応するように表示制御されることを特徴とする請求項１記載のエレベーター装置。
【請求項３】
前記背景模様には、該背景模様のボカシ加減、形状、グラデーションが調整して付けられていることを特徴とする請求項１または２記載のエレベーター装置。
【請求項４】
前記背景模様は、前記情報表示装置内に複数表示され、手前の模様が大きく、奥の模様が小さく表示され、かつ、手前の模様はより速く、奥の模様はより遅く、移動速度を変えて表示されることを特徴とする請求項１、２または３に記載のエレベーター装置。
【請求項５】
前記背景模様は、前記情報表示装置の表示画面の縦方向よりも長いオブジェクトレイヤーを複数積層して形成され、手前のオブジェクトレイヤーには相対的に大きな模様を表示し、後ろのオブジェクトレイヤーには相対的に小さな模様を表示し、前記手前のオブジェクトレイヤーと前記後ろのオブジェクトレイヤーとを重畳させつつ、各オブジェクトレイヤーの移動速度は独立させる、又は前記オブジェクトレイヤーの其々の切り出し位置を、前記背景模様が前記表示画面内で前記乗りかごの移動方向と逆方向に移動するように制御することを特徴とする請求項４に記載のエレベーター装置。
【請求項６】
エレベーター制御装置と、情報表示装置をかご出入り口の片方の天井に近い位置に有する乗りかごとを備え、前記乗りかごの制御及び情報表示装置の表示制御を前記エレベーター制御装置により行うエレベーター装置の情報表示方法において、前記エレベーター制御装置は、乗りかごの移動速度を検知する速度センサと、乗りかご内の重量を検知する重量センサとが接続された統括制御手段を含んで構成され、
前記統括制御手段は、
前記情報表示装置に、乗りかごの移動方向、現在階、次回停止階、及び日時の情報を少なくとも一つ表示すると共に、前記乗りかごの移動方向とは逆方向に移動するように表示制御された背景模様を表示し、
さらに、前記統括制御手段は、前記重量センサにより検知された前記乗りかご内の重量を判定し、判定結果に基づいて前記背景模様の表示数を決定することを特徴とするエレベーター装置の情報表示方法。
【請求項７】
前記背景模様の移動は、前記乗りかごの移動速度に対応するように表示制御されることを特徴とする請求項６記載のエレベーター装置の情報表示方法。
【請求項８】
前記背景模様には、該背景模様のボカシ加減、形状、グラデーションが調整して付けられていることを特徴とする請求項６または７記載のエレベーター装置の情報表示方法。
【請求項９】
前記背景模様は、前記情報表示装置内に複数表示され、手前の模様が大きく、奥の模様が小さく表示され、かつ、手前の模様はより速く、奥の模様はより遅く、移動速度を変えて表示されることを特徴とする請求項６、７または８記載のエレベーター装置の情報表示方法。
【請求項１０】
前記背景模様は、前記情報表示装置の表示画面の縦方向よりも長いオブジェクトレイヤーを複数積層して形成され、手前のオブジェクトレイヤーには相対的に大きな模様を表示し、後ろのオブジェクトレイヤーには相対的に小さな模様を表示し、前記手前のオブジェクトレイヤーと前記後ろのオブジェクトレイヤーとを重畳させつつ、各オブジェクトレイヤーの移動速度は独立させる、又は前記オブジェクトレイヤーの其々の切り出し位置を、前記背景模様が前記表示画面内で前記乗りかごの移動方向と逆方向に移動するように制御することを特徴とする請求項９に記載のエレベーター装置の情報表示方法。
【発明の詳細な説明】
【技術分野】
【０００１】
本発明は、エレベーター装置及びエレベーター装置の乗りかご内の情報表示方法に係り、特に、エレベーターかご内の表示装置に、エレベーターの運転方向、速度を視覚的に感じさせるような表示を行うエレベーター装置及びエレベーター装置の乗りかご内の情報表示方法に関する。
【背景技術】
【０００２】
一般に、エレベーター装置の乗かご（以下、単に、かごという）内には、出入口の片側に操作盤が設られている。操作盤は、その操作盤に設けられる行先階登録ボタンを乗客が操作することにより、その行先階が登録されると共に登録ボタンが点灯して、登録した停止階が表示されるように構成されている。また、大型のエレベーター装置は、かごの出入口の上部に複数の階表示点灯部からなる停止階表示部を設けて、操作盤で指示される停止予定階やかごの現在位置を表示するように構成されている。
【０００３】
前述で説明したようなエレベーター装置は、停止予定階やかごの現在位置が表示装置に表示され、表示される文字や表示灯の点灯によって停止予定階やかごの現在位置を乗客に知らせらているだけのもので、エレベーターの運転方向や速度を視覚的に乗客に感じさせるようなものではない。
【０００４】
エレベーターの運転方向や速度を視覚的に乗客に感じさせることを可能としたエレベーター装置に関する従来技術は存在しないが、ある程度それらを感じさせることができ、乗客が楽しみながら乗車することを可能とした従来技術が、例えば、特許文献１等に記載されて知られている。
【０００５】
この従来技術によるエレベーター装置は、かご室に窓を設け、かごが昇降する昇降路の内壁のかご室に設けた窓から見ることができる位置にスクリーンを設け、このスクリーンに迫力のある画像を表示するようにしたものである。
【先行技術文献】
【特許文献】
【０００６】
【特許文献１】特開昭６２−１００３８７号公報
【発明の概要】
【発明が解決しようとする課題】
【０００７】
前述した特許文献１に記載の従来技術は、スクリーンに表示する画像を工夫することによって、乗客にエレベーターの運転方向や速度を視覚的に乗客に感じさせるようにすることも可能である。しかし、この従来技術は、スクリーンを昇降路の１つの面の最下層から最上層に渡る長大なものとして画像を描いておかなければならないものであり、しかも、乗客にエレベーターの運転方向や実際の速度を視覚的に乗客に感じさせるようにするという点について配慮されたものではない。
【０００８】
本発明の目的は、前述したような点に鑑みて、エレベーターかご内の表示装置に、エレベーターの運転方向、実際の速度を視覚的に乗客に感じさせるような表示を行う乗りかご内に表示装置を備えるエレベーター装置及び乗りかご内の情報表示方法を提供することにある。
【課題を解決するための手段】
【０００９】
本発明によれば前記目的は、エレベーター制御装置と、情報表示装置をかご出入り口の片方の天井に近い位置に有する乗りかごとを備え、前記乗りかごの制御及び前記情報表示装置の表示制御を前記エレベーター制御装置により行うエレベーター装置において、前記エレベーター制御装置は、乗りかごの移動速度を検知する速度センサと、乗りかご内の重量を検知する重量センサとが接続された統括制御手段を含んで構成され、前記統括制御手段は、前記情報表示装置に、乗りかごの移動方向、現在階、次回停止階、及び日時の情報を少なくとも一つ表示すると共に、前記乗りかごの移動方向とは逆方向に移動するように表示制御された背景模様を表示し、さらに、前記統括制御手段は、前記重量センサにより検知された前記乗りかご内の重量を判定し、判定結果に基づいて前記背景模様の表示数を決定することにより達成される。
【発明の効果】
【００１０】
本発明によれば、エレベーターかご内の表示装置に、エレベーターの運転方向、実際の速度を視覚的に乗客に感じさせるような表示を行うことができる。
【図面の簡単な説明】
【００１１】
【図１】本発明の一実施形態によるエレベーター装置を含むエレベーターシステムの構成例を示すシステム構成図である。
【図２】表示装置に表示される表示画面の背景模様が雲であるとした場合のかごの上昇に伴う背景模様の位置の変化の例を説明する図である。
【図３】表示装置に表示される表示画面の背景模様が床であるとした場合のかごの上昇に伴う背景模様の位置変化の他の例を説明する図である。
【図４】表示装置に表示される表示画面背景模様が雲であるとし、かごへの乗客数の多少を乗客に知らせるようにした表示画面の例を説明する図である。
【図５】表示装置に表示される表示画面の背景模様が雲であるとし、背景模様をどのように移動制御して表示するかを概念的に説明する例を示す図である。
【図６】表示装置に表示される表示画面の背景模様が雲であるとし、背景模様をどのように移動制御して表示するかを概念的に説明する他の例を示す図である。
【図７】表示装置に表示される表示画面の背景模様が雲であるとし、背景模様をどのように移動制御して表示するかを概念的に説明するさらに他の例を示す図である。
【図８】表示装置に表示される表示画面の背景模様が雲であるとし、背景模様の大きさ、移動速度をかごの昇降速度に応じて変化させるように制御して表示するようにした例を概念的に説明する図である。
【図９】本発明の実施形態によるエレベーター装置がかご内の情報表示を行う際の処理動作を説明するフローチャートである。
【発明を実施するための形態】
【００１２】
以下、本発明によるエレベーター装置を含むエレベーターシステム及びエレベーター装置の乗りかご内の情報表示方法の実施形態を図面により詳細に説明する。
【００１３】
図１は本発明の一実施形態によるエレベーター装置を含むエレベーターシステムの構成例を示すシステム構成図である。
【００１４】
図１に示すエレベーターシステムは、インターネットを含む公衆通信回線等のネットワークを介して接続されるセンタ装置５１と、このセンタ装置５１に前記ネットワーク５０を介して接続され本発明の実施形態による１または複数のエレベーター装置を備えた複数のビル１００とから構成されている。ここでは、説明を簡単にするためにビル１００を１つ、１つのビル内に設置されたエレベーター装置を１つとして示している。
【００１５】
前記センタ５１は、図示しないサーバを備えた複数の管制制御装置を備え、個々のビル１００や各種の図示しない情報提供システムから情報を入手して、前記個々のビルや全ビルに対して情報を提供したり、あるいは、エレベーターのメンテナンス作業者に対して情報を提供することができる。
【００１６】
また、前記ビル１００内に設置された複数のエレベーター装置のそれぞれは、エレベーター塔１３０と、このエレベーター塔１３０に隣接したエレベーターフロアーに設置される複数のフロアー装置１５０と、前記エレベーター塔１３０とフロアー装置１５０を統括制御して、複数のエレベーター装置を制御するエレベーター制御装置１１０とから構成される。
【００１７】
エレベーター塔１３０には、その上部に駆動モータ１３１と昇降速度を制御する調速機１３３とを含む昇降装置１３２とが備えられ、この昇降装置１３２にロープを介してかご１６０が吊り下げられている。このエレベーター塔１３０とかご１６０及びその近傍には各種のセンサが設置され、これらセンサは前述のエレベーター制御装置１１０に接続されている。
【００１８】
かご１６０の内部には、出入口１６１の片側に表示装置１６３と入力装置１６４とを含む操作盤１６２が設けられている。この操作盤１６２は、各種の情報を表示する表示装置１６３と、利用者が操作する行先階登録ボタン等を含む入力装置１６４と、この入力装置１６４と前記表示装置１６３とを制御するかご制御部１６５とを含んで構成される。また、この操作盤１６２は、出入口１６１の片側の中央から天井面まで届く位置に帯状に設けられており、縦長の表示装置１６３を備えた表示パネルと、入力装置１６４を備えた入力パネルとを含む上下に分割される複数のパネルで構成される。表示装置１６３を備えた表示パネルは、天井に近い位置に配置される。なお、説明している本発明の実施形態では、表示装置１６３の表示制御をエレベーター制御装置１１０内の統括制御部１１１で行っているが、かご制御部１６５で行うようにしても、あるいは、両制御部で分担して行うようにしてもよい。
【００１９】
前記フロアー装置１５０は、上下方向の行先を指定する一対（最下階、最上階では１つ）のボタンから構成されるかご呼びボタン１５１と、到着を知らせる到着表示部１５２とから構成される。
【００２０】
エレベーター制御装置１１０は、ビル内のエレベーターシステム全体を統括制御する統括制御部１１１と、各種のデータを格納する記憶装置１１２と、電源部１１３と、前記センタ装置５１等と接続するための通信装置１１４とを含んで構成される。そして、前記エレベーター制御装置１１０は、複数のセンサと通信回線を介して接続される。図１に示すエレベーター制御装置１１０において、点線で示す各種センサは、説明を分かりやすくするために、制御装置内に図示したが、実際的には、エレベーター塔１３０や、このエレベーター塔１３０が設置されるビル１００内、あるいは、センタ装置５１等に設置される。本発明の実施形態では、エレベーター塔１３０内におけるかご１６０の現在位置を検出する位置検出器１２０と、かご１６０内の積載重量を検知する重量センサ１２１と、出入口１６１の開閉を検知する開閉センサ１２２と、ビル１００内に設置される火災センサ１２３と、ビル１００やセンタ５１内に設置される地震センサ１２４と、かご１６０の移動速度を検出する速度センサ１２５がエレベーター制御装置１１０に接続されている。
【００２１】
前述したように構成される本発明の実施形態によるエレベーター装置の大きな特徴は、かご１６０内の表示装置１６０表示して提供する情報として、矢印２０１によるかご１６０の移動方向の情報、現在階を表す数字２０２による情報及び「つぎは●階です」等による次回停止階２０３の情報、月日及び現在時刻２０４の情報等の従来から提供されている情報と共に、背景表示画像３０５に、かご１６０の移動方向と逆の方向移動する背景模様３０４の情報を表示するようにした点である。
【００２２】
背景模様３０４は、例えば、「雲」、「床」等の絵模様であり、前述のようにかご１６０の移動方向と逆の方向移動するように、また、かご１６０の速度に対応した移動速度で移動するように表示制御されており、これにより、かご１６０の運転方向、実際の速度を視覚的に乗客に感じさせるようにすることができる。
【００２３】
図２は表示装置１６３に表示される表示画面２００の背景模様３０４が雲であるとした場合のかごの上昇に伴う背景模様３０４の位置の変化の例を説明する図である。そして、図２（ａ）、図２（ｂ）、図２（ｃ）は、かごが８階に停止した状態から上昇していった場合のそれぞれの位置での背景模様３０４の表示例を示している。
【００２４】
図２において、背景模様３０４である雲は、その大きさが異なる複数種があるものとしており、大きさの異なるそれぞれの雲に、ボカシやグラデーションが付けられて、それらを調整することにより背景の遠近感を演出している。すなわち、大きい雲は近くにあり、小さい雲は遠くにあり、また、中間の大きさの雲は中間にあるものとして、それぞれの大きさの雲に、遠近を感じさせるようなボカシやグラデーションが付けられて表示される。例えば、中間の大きさの雲にはボカシをかけ、小さい雲にボカシをかけない等とされる。
【００２５】
図２（ａ）には、８階に停止した位置にかごがいるときに表示されている背景模様の配置例を示しており、この例では、背景模様３０４の大きい雲、中間の雲、小さい雲が、背景表示画面３０５の上から順に、離れて表示されている。
【００２６】
図２（ｂ）には、図２（ａ）の位置からかごが上方に移動（かご位置としては、まだ、８階であるとしている）したときに表示されている背景模様の配置例を示している。本発明の実施形態は、近くにあるとしている背景模様３０４が他の中間や遠くにある背景模様３０４より速く移動するように、また、かごの移動方向とは逆の方向に移動するように表示制御を行うとしており、図２（ｂ）に示す例では、大きな雲が、背景表示画面３０５の中央まで下方に、中間の大きさの雲が図２（ａ）に示した場合より少し下方に移動しており、小さい雲がほとんど変わらない位置に表示されている。
【００２７】
また、図２（ｃ）には、図２（ｂ）の位置からかごがさらに上方に移動（かご位置としては、まだ、８階であるとしている）したときに表示されている背景模様の配置例を示しており、図２（ｃ）に示す例では、大きな雲が、背景表示画面３０５の下方にまで移動しており、中間の大きさの雲が図２（ｂ）に示した場合よりさらに少し下方に移動しており、大きな雲と中間の雲との上下の位置関係が逆転して表示されている。また、小さい雲がほとんど移動しないので、大きな雲と重なって表示されている。
【００２８】
図３は表示装置１６３に表示される表示画面２００の背景模様３０４が床であるとした場合のかごの上昇に伴う背景模様３０４の位置変化の他の例を説明する図である。そして、図３（ａ）、図３（ｂ）、図３（ｃ）は、図２（ａ）、図２（ｂ）、図２（ｃ）の場合と同様に、かごが８階に停止した状態から上昇していった場合のそれぞれの位置での背景模様３０４の表示例を示している。
【００２９】
図３に示す例における背景模様３０４は、１つの背景模様３０４の絵としての床が奥行きがあるように表現され、また、その奥行きを感じさせるようにグラデーションがかけられて表示されており、かごの移動に伴って床が上から、または、下から見たような形状に変化させられて表示されている。
【００３０】
すなわち、かごが８階に停止した状態を示す図３（ａ）に示す状態では、８階の床面と天井（９階の床の下面）とがイメージできるような表示とされており、図３（ｂ）、図３（ｃ）に示しているように、かごが上昇していくにつれ、上の階の床の天井が下に下がって床面が見えるような表示とされている。
【００３１】
前述した図２、図３に示すような表示方法を実施する本発明の実施形態は、背景模様が実際のかごの移動速度対応した速さでかごの移動方向とは逆の方向に移動するように、その表示を制御しているので、かごに乗っている乗客に、かごの運転方向、実際のかごの速度を視覚的に感じさせることができる。
【００３２】
図４は表示装置１６３に表示される表示画面２００の背景模様３０４が雲であるとし、かごへの乗客数の多少を乗客に知らせるようにした表示画面の例を説明する図である。図４に示している例では、背景模様３０４である雲の表示数を変化させることにより、かごへの乗客数の多少を乗客に視覚的に感じさせるようにしたものである。図示例では、かごが上昇中であるとして示しているが、下降中であっても同様である。また、背景模様３０４の移動は、前述までと同様に制御される。
【００３３】
いま、図４（ａ−１）にかご内の乗客の乗り込み状態を示しているように、搭乗者数が多い（かごの荷重が大きい）場合、図４に説明する例では、図４（ａ−２）示しているように、表示画面２００に表示される背景模様３０４の数を多く表示するようにしている。また、図４（ｂ−１）にかご内の乗客の乗り込み状態を示しているように、搭乗者数が少ない（かごの荷重が小さい）場合、図４に説明する例では、図４（ｂ−２）示しているように、表示画面２００に表示される背景模様３０４の数を図４（ａ−２）の場合よりも少なく表示するようにしている。
【００３４】
図４に説明した例では、背景模様３０４の表示数を変化させるとしており、これにより、かごへの乗客数の多少を乗客に視覚的に感じさせることができる。
【００３５】
なお、図４により説明した例は、このような表示方法を単独で用いてもよいが、図２により説明した例と併用することにより、かごに乗っている乗客に、かごの運転方向、実際のかごの速度を視覚的に感じさせることができ、かつ、かごへの乗客数の多少を乗客に視覚的に感じさせることができる。
【００３６】
図５は表示装置１６３に表示される表示画面２００の背景模様３０４が雲であるとし、背景模様３０４をどのように移動制御して表示するかを概念的に説明する例を示す図である。図５（ａ）、図５（ｂ）、図５（ｃ）は、図２（ａ）、図２（ｂ）、図２（ｃ）に対応するものである。
【００３７】
背景模様３０４が雲である場合、前述までに説明したように、雲の模様が３種類あるとしているので、図５（ａ）、図５（ｂ）、図５（ｃ）に示しているように、背景模様３０４としての雲が大きい模様の表示に用いる背景模様大の表示に使用する表示画面２００の縦方向よりも長い背景模様大のレイヤー５０１と、背景模様３０４としての雲が中くらいの模様の表示に用いる背景模様中の表示に使用する表示画面２００の縦方向よりも長い背景模様中のレイヤー５０２と、背景模様３０４としての雲が小さい模様の表示に用いる背景模様小の表示に使用する表示画面２００の縦方向よりも長い背景模様小のレイヤー５０３とを用意する。
【００３８】
そして、本発明の実施形態では、かごが図２（ａ）〜図２（ｃ）に示して説明したように上昇するとき、図５に示している背景模様の各レイヤーを用いる表示としては、かごの上昇速度に応じて背景模様の各レイヤーの移動速度を独立して、また、各レイヤーの切り出し位置を背景模様３０４が表示画面２００内で下方（かごの移動方向と逆方向）に移動するように制御して、背景模様３０４の表示を制御することとしている。
【００３９】
このような制御を行うことにより、かごの昇降速度に応じて大きさの異なる背景模様のレイヤーを移動させることができ、これにより、図２（ａ）、図２（ｂ）、図２（ｃ）に説明したような背景画像３０４の表示を行うことができ、同様な効果を得ることができる。
【００４０】
図６は表示装置１６３に表示される表示画面２００の背景模様３０４が雲であるとし、背景模様３０４をどのように移動制御して表示するかを概念的に説明する他の例を示す図である。図６に示す例は、図５により説明したように、背景模様を表示するための複数の背景模様のレイヤーを用意するのではなく、１枚の縦方向に非常に長い背景模様の画像を用いるものである。
【００４１】
図６に示しているように、１枚の縦方向に長い背景模様の画像６０１には、かごが最下階から最上階あるいはその逆に移動する間に使用する全ての場面の背景模様が描かれている。そして、この背景模様の画像６０１は、かごの昇降速度、昇降方向に応じて、その移動速度、移動方向が変化するように制御され、予め決めた位置の背景模様の一部が画面表示エリア６０２として切り出されて表示のために使用される。背景模様の画像６０１の移動速度は、かごの昇降速度に応じで変化するように制御される。具体的には、かごの停止時、背景模様の画像６０１の移動は停止され、かごの通常運転時、そのかごの速度に応じて背景模様の画像６０１の移動速度が制御されて移動し、かごの高速運転時、背景模様の画像６０１の移動速度が高速に移動するように制御される。
【００４２】
前述したような制御を行うことにより、背景画像をかごの移動速度に応じて、背景模様を移動させることができ、かごに乗っている乗客に、かごの運転方向、実際のかごの速度を視覚的に感じさせることができる。
【００４３】
図７は表示装置１６３に表示される表示画面２００の背景模様３０４が雲であるとし、背景模様３０４をどのように移動制御して表示するかを概念的に説明するさらに他の例を示す図である。図７に示す例は、図６により説明したように、１枚の縦方向に長い背景模様の画像を用いるのではなく、表示画面に表示すべき範囲だけの大きさの背景模様の画像を用いるものである。
【００４４】
図７に示しているように、この例での背景模様の画像７０２には、図６に示して説明した場合と同様に、大、中、小の背景模様３０４である雲が描かれ、各背景模様３０４は、その大、中、小のそれぞれで異なる位置にある背景模様の軌道７０１上を移動させることができるようにされている。その際の背景模様３０４の移動速度は、大きい背景模様３０４の速度が大きく、小さい背景模様の速度が小さくなるように制御される。そして、各背景画像３０４は、すでに説明した例の場合と同様に、かごの昇降速度に応じて、その移動速度が変化するように制御され、図示の全画像が画面表示のために使用される。その際、各背景画像は、移動により背景画像のそれぞれが画面から見えなくなることがないように、サイクリックに描かれるように制御される。そして、この場合にも、かごの停止時、背景模様３０４の移動は停止され、かごの通常運転時、そのかごの速度に応じて背景模様３０４の移動速度が制御されて移動し、かごの高速運転時、背景模様３０４の移動速度が高速に移動するように制御される。
【００４５】
前述したような制御を行うことにより、前述までに制御した例の場合と同様に、背景画像をかごの移動速度に応じて、背景模様を移動させることができ、かごに乗っている乗客に、かごの運転方向、実際のかごの速度を視覚的に感じさせることができる。
【００４６】
図８は表示装置１６３に表示される表示画面２００の背景模様３０４が雲であるとし、背景模様３０４の大きさ、移動速度をかごの昇降速度に応じて変化させるように制御して表示するようにした例を概念的に説明する図である。図８に示す例は、図７により説明したものと同様に、表示画面に表示すべき範囲だけの大きさの背景模様の画像を用いるものである。
【００４７】
図８に示す例の場合にも、図７により説明した例の場合と同様に、背景模様の画像８０２には、大、中、小の背景模様３０４である雲が描かれ、各背景模様３０４は、その大、中、小のそれぞれで異なる位置にある背景模様の軌道８０１上を移動させることができるようにされている。また、その際の背景模様３０４の移動速度も、大きい背景模様３０４の速度が大きく小さい背景模様の速度が小さくなるように制御される。そして、各背景画像３０４は、すでに説明した例の場合と同様に、かごの昇降速度に応じて、その移動速度が変化するように制御され、図示の全画像が画面表示のために使用される。その際、各背景画像は、移動により背景画像のそれぞれが画面から見えなくなることがないように、サイクリックに描かれるように制御される。そして、図８に示している例が図７により説明した例と異なる点は、背景画像３０４の大きさを、その移動に従って移動先にいくほど小さくなるように制御している点である。
【００４８】
前述したような制御を行うことにより、背景画像をかごの移動速度に応じて、背景模様を移動させると共に、移動に従って小さくする（再度表示される場合に元の大きさとなる）ことができるので、かごに乗っている乗客に、背景模様が離れたり近づいてくるような感覚を与えることができる。
【００４９】
図９は本発明の実施形態によるエレベーター装置がかご内の情報表示を行う際の処理動作を説明するフローチャートであり、次に、これについて説明する。なお、ここでの処理は、エレベーター制御装置の統括制御部で行われる処理である。
【００５０】
（１）処理が開始され、かご内の行き先階登録ボタンまたはフロア装置のかこ呼びボタンが操作されて行き先階が登録されると、統括制御部１１１は、現在階と行き先階との間の距離を算出すると共に、算出した距離と予め決められている加速度とからかごの速度を算出する（ステップ９０１〜９０４）。
【００５１】
（２）算出したかごの速度を判定し、背景模様３０４のスクロール速度（移動速度）を決定すると共に、かごの重量を算出し、重量を判定して表示する背景模様（オブジェクト）３０４の数を決定する（ステップ９０５〜９０９）。
【００５２】
（３）次に、統括制御部１１１は、かごの進行方向が上か否かを判定し、進行方向が上ではなく下であった場合、背景模様のクロール方向を上と決定し、進行方向が上であった場合、背景模様のスクロール方向を下と決定して、背景模様の表示を制御する（ステップ９１０〜９１３）。
【００５３】
（４）行き先階が変更になっているか否かを判定し、行き先階が変更になっていた場合、現在階から減速して停止することができる最寄階（行き先階）を算出し、かご内の行き先階ボタンが新たに登録されたか否かを判定し、かご内の行き先階ボタンが新たに登録された場合、新たに登録された行き先階より、それ以前に登録されていた行き先階が近いか否かを判定し、新たに登録された行き先階より、それ以前に登録されていた行き先階の方が近かった場合、現在階とそれ以前に登録されていた行き先階との間の距離を算出する（ステップ９１４〜９１６、９１８、９２０）。
【００５４】
（５）ステップ９１６の判定で、かご内の行き先階ボタンが新たに登録されなかった場合、フロア装置（乗り場）のかご呼びボタンが登録されたか否かを判定する（ステップ９１７）。
【００５５】
（６）また、ステップ９１７の判定で、フロア装置のかご呼びボタンが登録された場合、あるいは、ステップ９１８の判定で、新たに登録された行き先階が、それ以前に登録されていた行き先階より近かった場合、ステップ１７の処理で登録された行き先階より、それ以前に登録されていた呼び登録階の方が近いが否かを判定し、ステップ１７の処理で登録された行き先階より、それ以前に登録されていた呼び登録階の方が近かった場合、現在階と新たに登録された行き先階との間の距離を算出する（ステップ９１９、９２１）。
【００５６】
（７）ステップ９１７の判定で、フロア装置のかご呼びボタンが登録されなかった場合、ステップ９１９の判定で、ステップ１７の処理で登録された行き先階より、それ以前に登録されていた呼び登録階の方が近くなかった場合、あるいは、ステップ９１４の判定で、行き先階が変更になっていなかった場合、停止階に到着したか否かを判定し、停止階に到着していなかった場合、ステップ９１５からの処理に戻って処理を繰り返し、停止階に到着していれば、処理を終了する（ステップ９２８、９３０）。
【００５７】
（８）ステップ９２０、あるいは、ステップ９２１の処理の後、統括制御部１１１は、ステップ９２０、あるいは、ステップ９２１の処理で求めた現在階と行き先階との間の距離と予め決められている加速度とからかごの速度を算出して、算出したかごの速度を判定する（ステップ９２２、９２３）。
【００５８】
（９）統括制御部１１１は、判定したかごの速度に基づいて背景模様３０４のスクロール速度（移動速度）を決定すると共に、かごの重量を算出し、その重量を判定して表示する背景模様（オブジェクト）３０４の数を決定して、背景模様の表示を制御する（ステップ９２４〜９２８）。
【符号の説明】
【００５９】
５０  ネットワーク
５１  センタ装置
１００  ビル
１１０  エレベーター制御装置
１１１  統括制御部
１１２  記憶装置
１１３  電源部
１１４  通信装置
１２０  位置検出器
１２１  重量センサ
１２２  開閉センサ
１２３  火災センサ
１２４  地震センサ
１２５  速度センサ
１３０  エレベーター塔
１３１  駆動モータ
１３２  昇降装置
１３３  調速機
１６０  かご
１６１  出入口
１６２  操作盤
１６３  表示装置
１６４  入力装置
１６５  かご制御部
１５０  フロアー装置
１５１  かこ呼びボタン
１５２  到着表示部
２００  表示画面
３０４  背景模様
【図１】
0005877732.tif 000002
【図２】
0005877732.tif 000003
【図５】
0005877732.tif 000004
【図６】
0005877732.tif 000005
【図７】
0005877732.tif 000006
【図８】
0005877732.tif 000007
【図９】
0005877732.tif 000008
【図３】
0005877732.tif 000009
【図４】
0005877732.tif 000010